(57)【要約】      （修正有）【課題】ＧＰＳ付き小型端末を契約者等に携帯させ、通信ネットワークのインターネットを介して、危機管理対策に有効な手段を提供する。【解決手段】ＧＰＳ付き小型端末１を契約者２等に携帯させ、通信ネットワークによるインターネット３を介して位置情報を受信して現在地をパソコン等の電子地図表示装置画面上に写し出せるようになり、受信して現在地を画面上で見ることができ、ＳＯＳボタン１０と小型スピーカー８により会話することができ、契約者等は自分の携帯電話・ＰＤＡ・パソコン・カーナビ・テレビ等でも確認する手段がとれ、ＩＤ機能等も搭載でき、ＧＰＳアンテナが遮蔽された状態でもブルートゥース通信システムおよび２次元計測によってリアルタイムに位置データが取得でき、移動体回線網のＧＳＭ規格等およびＤｏＰａｒ（ドゥーパー）網に従っても送受信することができるポケットＧＰＳ（全地球即位システム）を提供する。【選択図】図１
2004362528.tif 000002
【特許請求の範囲】
【請求項１】
汎用ポケットベルに高性能モデムと小型ＧＰＳ装置を内蔵および外付けして１ユニットとして、人・動物・車輌・動産等に携帯および搭載させることにより、リアルタイムに位置データ等を取得できることを特徴としたポケットＧＰＳ（全地球即位システム）である。
【請求項２】
汎用ポケットベルに高性能モデムと小型ＧＰＳ装置を内蔵および外付けして１ユニットとして、ブルートゥースモジュールを組み込むことにより、ＧＰＳアンテナが遮蔽された状態でもブルートゥース通信システムによって、リアルタイムの位置データ等が取得できることを特徴としたポケットＧＰＳ（全地球即位システム）である。
【請求項３】
請求項１により、取得したリアルタイムの位置データ等は、契約者等の携帯電話・ＰＤＡ・パソコン・カーナビ・テレビ等でも確認できるＧＰＳ（全地球即位システム）である。
【発明の詳細な説明】
【０００１】
【発明の属する技術分野】
汎用ポケットベルに高性能モデムと小型ＧＰＳ装置を内蔵および外付けして１ユニットとして、人・動物・車輌・動産等に携帯および搭載させることにより、リアルタイムに位置データ等が取得でき、契約者等は自分の携帯電話・ＰＤＡ・パソコン・カーナビ・テレビ等で確認する手段もあり、ＧＰＳアンテナが遮蔽された状態でもブルートゥース通信システムおよび２次元計測によってリアルタイムに位置データ等を取得できるポケットＧＰＳ（全地球即位システム）に関するものである。
【０００２】
【従来の技術】
従来型の汎用ポケットベルは、情報を取得して特定の処理に過ぎなかったため、携帯電話の汎用によって流通がマヒしてしまった。しかしながら、危機管理に関しては携帯電話を凌ぐ小型軽量で、場所をとらない長所を活用することで、人・動物・・車輌・動産等の探索行動が大きく飛躍でき、従来このような技術的手段としてのポケットＧＰＳ（全地球即位システム）が準備されていなかった。
【０００３】
【発明が解決しようとする課題】
本発明の課題は、汎用ポケットベルに高性能モデムと小型ＧＰＳ装置を内蔵および外付けして１ユニットとして、契約者等に携帯させ、通信ネットワークによるインターネットを介して危機管理対策に貢献できる有効な手段を提供することである。
【０００４】
【課題が解決しようとする手段】
上記の課題は、汎用ポケットベルに高性能モデムと小型ＧＰＳ装置を内蔵および外付けして１ユニットとして、契約者等に携帯させ、危機管理を確保することが、ポケットＧＰＳ（全地球即位システム）により、達成することができる。
【０００５】
上記の移動する契約者等に、汎用ポケットベルに高性能モデムと小型ＧＰＳ装置を内蔵および外付けして１ユニットとして、携帯させ、インターネットを介して位置情報を受信して現在地をパソコン等の電子地図表示装置画面上に写し出せるようになり、受信して現在地を再面上で見ることができる。
【０００６】
インターネットを介して複数の移動する契約者等に、汎用ポケットベルに高性能モデムと小型ＧＰＳ装置を内蔵および外付けして１ユニットとして、携帯させ、呼出信号に対して応答し、現在の位置情報を受信することによってパソコン等の電子地図表示装置画面上に写し出せるようになり、画面上で地図と移動する契約者等の現在位置を重ねて表示することができる。
【０００７】
上記のインターネットを介して複数の移動する契約者等の位置情報を取得して、契約者等の関係者等に対して通信システムによっては、ＩＳＤＮ・ＤＳＬ・ＩＰ電話・Ｌモード電話等を活用してインターネットやファックスで全地球のどこへでも素早く配信でき、全地球のどこにいても素早く位置情報が取得できる。
【０００８】
新たな位置情報サービスとして市場に投入し、人・動物・車輌・動産等に携帯および搭載させることにより、リアルタイムに位置データ等が取得できる。
【０００９】
汎用のポケットベル機能が使えて、契約者等は自分の携帯電話・ＰＤＡ・パソコン・カーナビ・テレビ等でも確認する手段がとれる。
【００１０】
ＧＰＳアンテナが遮蔽された状態でもブルートゥース通信システムおよび２次元計測によってリアルタイムに位置データ等を取得できる。
【００１１】
高齢化社会での徘徊癖のある老人、少子化社会での幼年児保護、盲導犬等に所持させ、近年多発する事件・事故から生命の安心、安全、生活を確保することができる。
【００１２】
常に位置が把握されているため、不測の事態に陥っても、より早い時間で、生命の安心、安全、生活を確保でき、契約者等からの緊急コールと小型スピーカー（暗証番号による）により会話することができる。
【００１３】
【発明の実施の形態】
以下に、添付図面を参照しつつ、本発明に係るポケットＧＰＳ（全地球即位システム）の一実施例を挙げる。図１はポケットＧＰＳ（全地球即位システム）の全体の構成を示す概念図である。すなわち、汎用ポケットベルに高性能モデムと小型ＧＰＳ装置を内蔵および外付けして１ユニットとして、契約者等に携帯させ、通信ネットワークによるインターネットを介して、呼出信号に対して応答し、現在の位置情報を受信することによってパソコン等の電子地図表示装置画面上に写し出せるようになり、画面上で地図と移動する契約者等の現在位置を重ねて表示することができ、ＧＰＳアンテナが遮蔽された状態でもブルートゥース通信システムおよび２次元計測によってリアルタイムに位置データ等を取得できる。常に位置が把握されているため、不測の事態に陥っても、より早い時間で、生命の安心、安全、生活を確保でき、契約者からの緊急コールと小型スピーカー（暗証番号による）により会話することができ、汎用のポケットベル機能が使えて、契約者等は自分の携帯電話・ＰＤＡ・パソコン・カーナビ・テレビ等でも確認できるポケットＧＰＳ（全地球即位システム）である。
【００１４】
【発明の効果】
本発明のポケットＧＰＳ（全地球即位システム）は、汎用ポケットベルに高性能モデムと小型ＧＰＳ装置を内蔵および外付けして１ユニットとして、契約者等に携帯させ、通信ネットワークによるインターネット上を介して受信することによってパソコン等の電子地図表示装置画面上に写し出せ、画面上で地図と移動する契約者等の現在位置を重ねて表示することができ、ＧＰＳアンテナが遮蔽された状態でもブルートゥース通信システムと２次元計測によってリアルタイムの位置データ等が取得でき、近年多発する事件・事故から生命の安心、安全、生活を確保できる。
【図面の簡単な説明】
【図１】ポケットＧＰＳ（全地球即位システム）の概念図である。
【符号の説明】
１．ポケットＧＰＳ（全地球即位システム）
２．契約者等
３．通信ネットワークによるインターネット
４．移動体回線網のＧＳＭ規格等およびＤｏＰａｒ（ドゥーパー）
５．ＧＰＳランプ
６．パワー電源
７．ショートメールおよび文字メッセージ送り（文例内蔵）
８．小型スピーカー搭載（暗証番号登録により会話できる）
９．ＧＰＳ即位スイッチ（センターへ位置を知らせる）
１０．ＳＯＳボタン（１１０番通報と１１９番通報）
１１．液晶画面２７インチ（カラー画面）とリチウム電池使用
【図１】
2004362528.tif 000003